(57)【特許請求の範囲】
【請求項１】
商用電源に接続され、かつ、制御回路用電源端子を有する制御装置と、
前記商用電源に接続される電源スイッチと、
前記電源スイッチの出力端に接続されるリレーと、
前記リレーの出力端に接続される駆動装置と、
を備え、
前記制御装置は、通信データにより前記リレー、及び前記駆動装置を制御するように構成されており、
前記リレーと前記制御装置との間に前記駆動装置の通信インタフェースと異なる他の通信インタフェース回路が挿入されており、
前記制御回路用電源端子は、前記通信インタフェース回路の電源端子に接続され、
前記リレーは、前記制御装置によって前記駆動装置と独立制御され、前記制御回路用電源端子が電圧低下状態のとき、ＯＦＦ状態になることを特徴とする電源システム。
【請求項２】
前記電源スイッチの出力端と前記リレーの入力端との接続点に接続され、前記制御装置が制御する他の駆動装置を備え、
前記電源スイッチは、ＯＮ状態からＯＦＦ状態に遷移させるリセット手段を有し、
前記駆動装置は、当該駆動装置の異常を検出したときには、前記リセット手段を駆動制御することにより、前記制御回路用電源端子の電圧状態にかかわらず前記リレーを介した当該駆動装置への前記商用電源の供給を停止させるとともに、前記他の駆動装置への前記商用電源の供給も停止させる、
ことを特徴とする請求項１に記載の電源システム。
【請求項３】
商用電源に接続される制御装置用電源端子と、
前記商用電源に接続される電源スイッチと、
前記電源スイッチの出力端に接続されるリレーと、
前記リレーの出力端に接続される駆動装置用制御回路と、
を備え、
前記駆動装置用制御回路、及び前記リレーは、外部から通信データにより制御されるように構成されており、
前記リレーを制御する通信インタフェース回路は、前記駆動装置用制御回路の通信インタフェースと異なるものであり、
前記駆動装置用制御回路を制御する制御回路用電源端子は、前記通信インタフェース回路の電源端子に接続されており、
前記リレーは、前記制御回路用電源端子、及び前記通信インタフェース回路の電源端子が電圧低下状態のとき、ＯＦＦ状態になることを特徴とする電源装置。
【請求項４】
前記電源スイッチの出力端と前記リレーの入力端との接続点に接続される他の駆動装置をさらに備え、
前記電源スイッチは、ＯＮ状態からＯＦＦ状態に遷移させるリセット手段を有し、
前記駆動装置は、当該駆動装置の異常を検出したときには、前記リセット手段を駆動制御することにより、前記制御回路用電源端子の電圧状態にかかわらず前記リレーを介した当該駆動装置への前記商用電源の供給を停止させるとともに、前記他の駆動装置への前記商用電源の供給も停止させる、
ことを特徴とする請求項３に記載の電源装置。
【発明の詳細な説明】
【技術分野】
【０００１】
本発明は、電源システム、及び電源装置に関する。
【背景技術】
【０００２】
造形技術の一つとして、発泡性シートを用いた２．５次元の立体画像形成技術が知られており、例えば、点字などの視覚障害者用の教材作成に使用される。このような技術として、例えば、特許文献１，２の技術が開示されている。
【０００３】
特許文献１は、「表面に熱膨張性微小球を含む被覆層を有する熱膨張性シートの被覆層の形成されていないシート表面に、所望の画像の表裏反転画像を光吸収特性の優れた画像形成材料で形成し、前記熱膨張性シートを画像形成側から光照射して画像形成材料の光吸収特性を利用して選択的に画像部分を加熱し、被覆層内の熱膨張性微小球を膨張させて立体画像を形成する立体画像形成方法」を開示している。また、特許文献２は、「基材層上に発泡層が設けられた発泡性シートにおいて前記発泡層を選択的に発泡させ、それによって半立体画像を造形する発泡造形システム」を開示している。
【先行技術文献】
【特許文献】
【０００４】
【特許文献１】特開昭64-28660号公報（特許請求の範囲）
【特許文献２】特開2001-150812号公報（請求項１）
【発明の概要】
【発明が解決しようとする課題】
【０００５】
ところで、特許文献１，２に記載の技術は、ＰＣ（Personal Computer）を用いて、写真等の元画像のデータを取得乃至生成し、該元画像を画像処理してから立体画像を形成するように構成すると利便性に富む。
このようなとき、立体画像を形成する画像形成装置のＡＣ電源と、該画像形成装置を制御するＰＣのＡＣ電源とを個別に配線したり、各ＡＣ電源を同時起動するように配線したりした電源システムを構成することが通常である。
【０００６】
この電源システムを構成した場合において、立体画像を形成しないときや、画像形成装置に異常が生じたとき、少なくともＰＣは常時使用できるようにしておきたい。このようなとき、制御装置としてのＰＣのシャットダウン（起動停止）と連動して、画像形成装置（交流電力で駆動する駆動装置）をＯＦＦできるように構成することが好ましい。
【０００７】
本発明の課題は、制御装置の起動停止に連動して、駆動装置を停止させることである。
【課題を解決するための手段】
【０００８】
前記課題を解決するために、本発明の電源システムは、商用電源に接続され、かつ、制御回路用電源端子を有する制御装置と、前記商用電源に接続される電源スイッチと、前記電源スイッチの出力端に接続されるリレーと、前記リレーの出力端に接続される駆動装置とを備え、前記制御装置は、通信データにより前記リレー、及び前記駆動装置を制御するように構成されており、前記リレーと前記制御装置との間に前記駆動装置の通信インタフェースと異なる他の通信インタフェース回路が挿入されており、前記制御回路用電源端子は、前記通信インタフェース回路の電源端子に接続され、前記リレーは、前記制御装置によって前記駆動装置と独立制御され、前記制御回路用電源端子が電圧低下状態のとき、ＯＦＦ状態になることを特徴とする。
【発明の効果】
【０００９】
本発明によれば、制御装置の起動停止に連動して、駆動装置を停止させることができる。
【図面の簡単な説明】
【００１０】
【図１】本発明の第１実施形態である電源システムの構成図である。
【図２】本発明の第１実施形態の半導体リレーとＵＳＢコネクタとの接続方法を示す回路図である。
【図３】本発明の第１実施形態である電源システムのタイミングチャートである。
【図４】各装置の動作状態を説明する図である。
【図５】本発明の第２実施形態である電源システムの構成図である。
【図６】本発明の第２実施形態の半導体リレーとＵＳＢコネクタとの接続方法を示す回路図である。
【発明を実施するための形態】
【００１１】
以下、図面を参照して、本発明の実施の形態（以下、「本実施形態」と称する）につき詳細に説明する。なお、各図は、本発明を十分に理解できる程度に、概略的に示してあるに過ぎない。また、各図において、共通する構成要素や同様な構成要素については、同一の符号を付し、それらの重複する説明を省略する。
【００１２】
（第１実施形態）
図１は、本発明の第１実施形態である電源システムの構成図である。
電源システム１０００は、電源装置１００と、制御装置としてのＰＣ２１０と、モニタ２２０と、インクジェットプリンタ２３０と、外部装置としての発泡装置２４０と、ＡＣアダプタ２５０，２５１とを備える。
電源装置１００は、商用電源から電源コードを介して受電した交流電力をＰＣ２１０と、モニタ２２０と、インクジェットプリンタ２３０とに供給し、受電した交流電力を発泡装置２４０に供給する直流電力に変換する。
【００１３】
ＰＣ２１０は、ＯＳ(Operating System)を用いた汎用の情報処理装置であり、発泡装置２４０やインクジェットプリンタ２３０を制御する制御装置として使用される。ＰＣ２１０は、直流電圧で駆動するものであり、二次電池を内蔵していても構わない。ＰＣ２１０は、他の電源スイッチとしてのスイッチ２１１を内蔵し、直流電力を遮断できるように構成されている。モニタ２２０は、ＰＣ２１０が出力する映像信号の画像を表示する液晶表示装置であり、映像信号が長時間入力しないと画像表示を停止するスリープモードを内蔵している。なお、ＰＣ２１０が出力する映像信号は、ＨＤＭＩ（登録商標）(High-Definition Multimedia Interface)コネクタで出力されるが、ＵＳＢ（Universal Serial Bus）３．０でも映像伝送可能である。
【００１４】
発泡装置２４０は、電源装置１００の外部に接続される外部装置であり、２４Ｖ、及び５Ｖの直流電圧で駆動する。発泡装置２４０は、熱で発泡（膨張）する発泡層（膨張層）を有した媒体を加熱するために、ハロゲンランプ（不図示）を備えている。該ハロゲンランプは、ＡＣ１００Ｖで発光する発光器具であり、発熱器具（加熱器具）でもある。該ハロゲンランプは、制御用電源回路ASSY５０を介して交流電力が供給される。
【００１５】
インクジェットプリンタ２３０は、媒体を発泡（膨張）させる特定部位を黒色印刷（描画）したり、媒体の全面をＣＭＹ（シアン・マゼンタ・イエロー）でカラー印刷したりする。なお、ハロゲンランプは、近赤外光を強く発生するので、黒色を強く加熱し、ＣＭＹのカラー印刷箇所では加熱量が少ない。このため、発泡層を有した媒体は、黒色印刷された特定部位のみ発泡（膨張）し、２．５Ｄ印刷が行われる。言い換えれば、インクジェットプリンタ２３０は、電磁波としての近赤外光を熱に変換する熱変換層（黒色層）を印刷する。また、電源システム１０００は、２．５Ｄの構造物を製造する構造物製造システムとして動作する。なお、インクジェットプリンタ２３０は、ＡＣ１００Ｖの商用電源で駆動し、ＵＳＢで制御される。
【００１６】
電源スイッチ３０は、リセット機能付き二極双投型スイッチであり、リセット手段としてのリセットコイルを備え、外部電圧により強制的に短絡状態（ＯＮ状態）から開放状態（ＯＦＦ状態）に遷移させることができる。リレー４０は、ゼロクロスタイプの半導体リレーであり、外部から印加される操作電圧により、接点をＯＮ／ＯＦＦ制御することができる。本実施形態では、制御端子は、ＰＣ２１０のＵＳＢコネクタ４１（図２）の電源端子（ＶＢＵＳ端子，ＧＮＤ端子）に接続される。ここで、ＵＳＢコネクタ４１の電源端子は、ＰＣ２１０が制御する制御回路の電源端子であるので、制御回路用電源端子と称する。なお、リレー４０は、半導体リレーでなくとも機械式リレーであっても構わない。
【００１７】
図２は、本発明の第１実施形態の半導体リレーとＵＳＢコネクタとの接続方法を示す回路図である。
ＵＳＢコネクタ４１は、ＶＢＵＳ端子と、Ｄ＋端子と、Ｄ−端子と、ＧＮＤ端子とを備えて構成される。リレー４０は、制御端子と、ＨＯＴ側、及びＣＯＬＤ側の２回路の半導体スイッチ４０ｃの端子とを備え、該制御端子は、例えば、抵抗器４０ａ及び発光ダイオード４０ｂの直列回路が接続されている。
【００１８】
ここで、ＶＢＵＳ端子と抵抗器４０ａの一端とを接続し、ＧＮＤ端子と発光ダイオード４０ｂのカソード端子とを接続しているが、シリアル信号端子であるＤ＋端子及びＤ−端子は非接続である。これにより、リレー４０は、ＵＳＢコネクタ４１の電源電圧（５Ｖ）により制御される。言い換えれば、リレー４０は、ＰＣ２１０の電源が立ち上がれば、半導体スイッチ４０ｃが短絡状態（ＯＮ状態）になり、ＰＣ２１０がシャットダウンすれば、半導体スイッチ４０ｃが開放状態（ＯＦＦ状態）になる。
【００１９】
再び、図１の説明に戻り、制御用電源回路ASSY５０は、リレー４０から出力されるＡＣ１００Ｖの交流電力をＤＣ２４Ｖ,及びＤＣ５Ｖの直流電力に変換する。また、制御用電源回路ASSY５０は、ハロゲンランプを駆動するＡＣ１００Ｖの交流電力を出力する。
【００２０】
外部装置制御回路ASSY６０は、ＰＣ２１０のＵＳＢ制御により、外部装置としての発泡装置２４０を駆動制御する制御回路である。また、外部装置制御回路ASSY６０は、発泡装置２４０の異常検出時に、ALARM信号を発生し、電源スイッチ３０を強制的にＯＦＦ状態に遷移させる。なお、外部装置制御回路ASSY６０は、制御用電源回路ASSY５０が出力するＤＣ２４Ｖ、及びＤＣ５Ｖの直流電力を用いて駆動する。なお、制御用電源回路ASSY５０と外部装置制御回路ASSY６０と発泡装置２４０とは、交流電力で駆動する駆動装置を構成し、制御用電源回路ASSY５０と外部装置制御回路ASSY６０とで駆動装置用制御回路を構成する。また、インクジェットプリンタ２３０は、他の駆動装置を構成する。
【００２１】
電源コード１５は、プラグとコードとメスコネクタとから構成され、プラグが商用電源のコンセントに差し込まれる。ＡＣインレット１０は、電源コード１５のメスコネクタが挿入されるものであり、ＡＣアウトレット２０，２１と電源スイッチ３０とに接続される。また、ＡＣアダプタ２５０，２５１は、プラグがＡＣアウトレット２０，２１に差し込まれ、ＡＣ１００Ｖの交流電力を直流電力に変換し、ＰＣ２１０、及びモニタ２２０を駆動する。ＡＣアウトレット２２は、電源スイッチ３０に接続され、インクジェットプリンタ２３０が電源スイッチ３０によりＯＮ／ＯＦＦ制御される。言い換えれば、ＰＣ２１０、及びモニタ２２０は、電源スイッチ３０の状態にかかわらず通電状態であり、インクジェットプリンタ２３０、及び発泡装置２４０は、電源スイッチ３０によりＯＮ／ＯＦＦ制御される。
【００２２】
ここで、電源システム１０００は、発泡装置２４０の異常検出時には、電源スイッチ３０が強制的にＯＦＦ状態になり、ＰＣ２１０が起動した状態でインクジェットプリンタ２３０が停止する。これにより、使用者は、システムの異常を認識することができる。
【００２３】
図３は、本発明の第１実施形態である電源システムのタイミングチャートである。このタイミングチャートは、説明の都合上、電源スイッチ３０の投入／遮断を複数回繰り返すように記載している。
電源スイッチ３０の投入状態において、商用電源が立ち上がると（ｔ１）、ＡＣアダプタ２５０，２５１が起動し、直流電圧がＰＣ２１０、及びモニタ２２０に印加される。この状態で、ＰＣ２１０のスイッチ２１１が投入されると（ｔ２）、ＵＳＢコネクタ４１（図２）のＶＢＵＳ端子の電位が＋５Ｖに立ち上がり、リレー４０がＯＮ状態にされる。この状態で、電源スイッチ３０を投入すると（ｔ３）、インクジェットプリンタ２３０、及びリレー出力電圧が立ち上がり、発泡装置２４０が起動する。
【００２４】
次に、電源スイッチ３０の遮断後（ｔ４）、スイッチ２１１のＯＮ状態で電源スイッチ３０を再投入すると（ｔ５）、インクジェットプリンタ２３０、及びリレー出力電圧が立ち上がり、発泡装置２４０が起動する。そして、発泡装置２４０の異常時に、外部装置制御回路ASSY６０は、リセット信号を発生し（ｔ６）、電源スイッチ３０を強制的に遮断する。これにより、インクジェットプリンタ２３０が停止すると共に、リレー出力電圧が立ち下がり、発泡装置２４０が停止する。
【００２５】
次に、ＰＣ２１０のスイッチ２１１、及び電源スイッチ３０のＯＮ状態において（ｔ７）、ＰＣ２１０がシャットダウンしたとき（ｔ８）、ＵＳＢコネクタ４１（図２）のＶＢＵＳ端子の電圧が立ち下がり、リレー４０がＯＦＦ状態に遷移し、リレー出力電圧が立ち下がる。このときは、電源スイッチ３０がＯＮ状態であるので、モニタ２２０、及びインクジェットプリンタ２３０は、起動状態であり、省電力モード乃至スリープモードになる。
【００２６】
図４は、各装置の動作状態を説明する図であり、電源システム１０００としての２．５ＤプリントシステムのＯＮ時とＯＦＦ時との各装置の動作状態を説明している。
２．５ＤプリントシステムのＯＮ時は、ＰＣ２１０、モニタ２２０、及び発泡装置２４０がＯＮ状態であり、インクジェットプリンタ２３０がＯＮ状態又はスリープ状態になる。一方、２．５ＤプリントシステムのＯＦＦ時は、ＰＣ２１０がＯＦＦ状態（シャットダウン）であり、モニタ２２０が省電力モード（画面ＯＦＦ）であり、インクジェットプリンタ２３０がスリープ状態であり、発泡装置２４０がＯＦＦ状態である。
【００２７】
（第２実施形態）
前記第１実施形態の電源システム１０００は、ＵＳＢコネクタ４１のＶＢＵＳ端子（図２）を用いて、半導体リレー（リレー４０）を制御したが、シリアル信号（Ｄ＋，Ｄ−）を用いて、アプリケーションソフトからリレー４０を制御することもできる。
【００２８】
図５は、本発明の第２実施形態である電源システムの構成図である。
電源システム１００１は、前記第１実施形態の電源システム１０００と同様の構成であるが、ＰＣ２１０とリレー４０との間のＵＳＢ端子の配線が異なる。
【００２９】
図６は、本発明の第２実施形態の半導体リレーとＵＳＢコネクタとの接続方法を示す回路図である。
このインタフェース回路は、第１実施形態の回路（図２）に比較して、ＵＳＢコネクタ４１と、リレー４０との間にシリアル／パラレル変換ユニット４２、及びデジタルトランジスタ４３が挿入されている点で相違する。ここで、外部装置制御回路ASSY６０は、ＰＣ２１０でＵＳＢ制御するシリアル／パラレル変換ユニット４２を備えている。リレー４０をＵＳＢ制御するシリアル／パラレル変換ユニット４２と、外部装置制御回路ASSY６０が有するシリアル／パラレル変換ユニット（不図示）とは別体であり、ＰＣ２１０は、リレー４０と、駆動装置としての外部装置制御回路ASSY６０とを独立制御する。
【００３０】
シリアル／パラレル変換ユニット４２は、ＵＳＢの通信データ（シリアル信号Ｄ＋，Ｄ−）をパラレル変換するシリアルインタフェース回路であるが、ここでは、１ビットの出力データのみ使用することにする。つまり、シリアル／パラレル変換ユニット４２は、ＶＢＵＳ端子、Ｄ＋端子、Ｄ−端子、ＧＮＤ端子、及びＯＵＴ端子を備えているものとする。デジタルトランジスタ４３は、５Ｖ／０Ｖの電圧レベルのデジタル信号を電流のＯＮ／ＯＦＦ信号に変換するトランジスタモジュールである。デジタルトランジスタ４３は、入力電圧をベース電流に変換するベース抵抗と、ベース−エミッタ間のバイアス抵抗とを内部に備えている。
【００３１】
ＵＳＢコネクタ４１のＶＢＵＳ端子は、シリアル／パラレル変換ユニット４２のＶＢＵＳ端子と、リレー４０の抵抗器４０ａの一端とに接続される。ＵＳＢコネクタ４１のＧＮＤ端子は、シリアル／パラレル変換ユニット４２のＧＮＤ端子と、デジタルトランジスタ４３のエミッタ端とを接続する。
ＵＳＢコネクタ４１のＤ＋端子は、シリアル／パラレル変換ユニット４２のＤ＋端子に接続され、ＵＳＢコネクタ４１のＤ−端子は、シリアル／パラレル変換ユニット４２のＤ−端子に接続される。また、シリアル／パラレル変換ユニット４２のＯＵＴ端子は、デジタルトランジスタ４３のベース端（ベース抵抗の一端）に接続される。また、デジタルトランジスタ４３のコレクタ端は、リレー４０の発光ダイオード４０ｂのカソード端に接続される。
【００３２】
なお、外部装置制御回路ASSY６０もシリアル／パラレル変換ユニット４２と同様の回路を備え、ＰＣ２１０からＵＳＢ制御される構成になっている。本実施形態の電源システム１００１は、ＰＣ２１０が外部装置制御回路ASSY６０をＵＳＢ制御するＵＳＢポートとは異なる独立したＵＳＢポートからリレー４０をＵＳＢ制御する。また、リレー４０側のＶＢＵＳ端子と、外部装置制御回路ASSY６０側のＶＢＵＳ端子とは、ＰＣ２１０側のＶＢＵＳ端子で共通している。このため、電源システム１００１は、リレー４０側のＶＢＵＳ端子と外部装置制御回路ASSY６０側のＶＢＵＳ端子との双方が電圧低下状態のとき、リレー４０がＯＦＦ状態になる。つまり、電源装置１０１は、外部装置制御回路ASSY６０のＶＢＵＳ端子（制御回路用電源端子）が電圧低下状態のとき、リレー４０がＯＦＦ状態になると云える。
【００３３】
この回路により、ＰＣ２１０のアプリケーションプログラムによるＵＳＢ制御で、リレー４０をＯＮ／ＯＦＦ制御することができる。このため、発泡装置２４０の不使用時にもＰＣ２１０、及びインクジェットプリンタ２３０を自由に使用することができる。つまり、発泡装置２４０の異常検出時に電源スイッチ３０が強制的にＯＦＦ状態になっても、リレー４０がＯＦＦ状態になるようにＵＳＢ制御して、電源スイッチ３０を手動でＯＮ状態にすれば、インクジェットプリンタ２３０が使用可能になる。
【００３４】
（変形例）
本発明は前記した実施形態に限定されるものではなく、例えば以下のような種々の変形が可能である。
（１）前記各実施形態の電源システム１０００，１００１は、制御用電源回路ASSY５０、及び外部装置制御回路ASSY６０を電源装置１００，１０１に含め、発泡装置２４０を電源装置１００，１０１の外部装置としたが、制御用電源回路ASSY５０と外部装置制御回路ASSY６０と発泡装置２４０とで、交流電力で駆動する駆動装置を構成し、制御用電源回路ASSY５０と外部装置制御回路ASSY６０とで駆動装置用制御回路を構成するようにすることもできる。
【００３５】
（２）前記各実施形態の電源システム１０００，１００１は、ＵＳＢコネクタのＶＢＵＳ端子でリレー４０を制御するように構成したが、給電機能を有する他の制御用インタフェースでも構わない。例えば、通信データとしてのパラレルデータを伝送するパラレルインタフェース（通信インタフェース）であっても構わない。
【００３６】
以下に、この出願の願書に最初に添付した特許請求の範囲に記載した発明を付記する。付記に記載した請求項の項番は、この出願の願書に最初に添付した特許請求の範囲の通りである。
〔付記〕
＜請求項１＞
商用電源に接続される制御装置と、
前記商用電源に接続される電源スイッチと、
前記電源スイッチの出力端に接続されるリレーと、
前記リレーの出力端に接続される駆動装置とを備え、
前記制御装置は、制御回路用電源端子を有するものであり、
前記リレーは、前記制御回路用電源端子が電圧低下状態のとき、ＯＦＦ状態になることを特徴とする電源システム。
＜請求項２＞
前記制御装置は、前記駆動装置を制御するものであり、
前記リレーは、前記制御装置によって、前記駆動装置と独立制御されるものであることを特徴とする請求項１に記載の電源システム。
＜請求項３＞
前記制御装置は、通信データにより前記リレー、及び前記駆動装置を制御するように構成されており、
前記リレーと前記制御装置との間に前記駆動装置の通信インタフェースと異なる他の通信インタフェース回路が挿入されており、
前記制御回路用電源端子は、前記通信インタフェース回路の電源端子に接続されていることを特徴とする請求項２に記載の電源システム。
＜請求項４＞
前記電源スイッチの出力端と前記リレーの入力端との接続点に接続され、前記制御装置が制御する他の駆動装置を備え、
前記電源スイッチは、ＯＮ状態からＯＦＦ状態に遷移させるリセット手段を有し、
前記駆動装置は、その異常を検出したときに、前記リセット手段を駆動制御することを特徴とする請求項２又は請求項３に記載の電源システム。
＜請求項５＞
商用電源に接続される制御装置と、
前記商用電源に接続される電源スイッチと、
前記電源スイッチの出力端に接続されるリレーと、
前記リレーの出力端に接続される駆動装置とを備え、
前記制御装置は、前記商用電源から供給される電力を遮断する他の電源スイッチを備え、
前記リレーは、前記他の電源スイッチがＯＮ状態にされたときに、前記駆動装置に前記商用電源を供給すると共に、前記他の電源スイッチがＯＦＦ状態にされたときに、前記駆動装置への前記商用電源の供給を遮断することを特徴とする電源システム。
＜請求項６＞
商用電源に接続される制御装置と、
前記商用電源に接続される電源スイッチと、
前記電源スイッチの出力端に接続されるリレーと、
前記リレーの出力端に接続される外部装置を制御する制御回路とを備え、
前記制御装置は、前記外部装置を制御する制御回路用電源端子を有するものであり、
前記リレーは、前記制御回路用電源端子が電圧低下状態のとき、ＯＦＦ状態になることを特徴とする電源システム。
＜請求項７＞
商用電源に接続される制御装置用電源端子と、
前記商用電源に接続される電源スイッチと、
前記電源スイッチの出力端に接続されるリレーと、
前記リレーの出力端に接続される駆動装置用制御回路とを備え、
前記リレーは、前記駆動装置用制御回路を制御する制御回路用電源端子が電圧低下状態のとき、ＯＦＦ状態になることを特徴とする電源装置。
＜請求項８＞
前記駆動装置用制御回路、及び前記リレーは、外部から通信データにより制御されるように構成されており、
前記リレーを制御する通信インタフェース回路は、前記駆動装置用制御回路の通信インタフェースと異なるものであり、
前記制御回路用電源端子は、前記通信インタフェース回路の電源端子に接続されており、
前記リレーは、前記制御回路用電源端子、及び前記通信インタフェース回路の電源端子が電圧低下状態のとき、ＯＦＦ状態になることを特徴とする請求項７に記載の電源装置。
＜請求項９＞
前記電源スイッチの出力端と前記リレーの入力端との接続点に接続される他の駆動装置をさらに備え、
前記電源スイッチは、ＯＮ状態からＯＦＦ状態に遷移させるリセット手段を有し、
前記駆動装置は、その異常を検出したときに、前記リセット手段を駆動制御することを特徴とする請求項７又は請求項８に記載の電源装置。
【符号の説明】
【００３７】
１０  ＡＣインレット
１５  電源コード
２０，２１，２２  ＡＣアウトレット
３０  電源スイッチ（リセット機能付きＡＣスイッチ）
４０  リレー
４１  ＵＳＢコネクタ
４２  シリアル／パラレル変換ユニット（シリアルインタフェース回路、他の通信インタフェース）
４３  デジタルトランジスタ
５０  制御用電源回路ASSY（駆動装置）
６０  外部装置制御回路ASSY（制御回路、駆動装置用制御回路、駆動装置）
１００，１０１  電源装置
２１０  制御装置（情報処理装置）
２１１  スイッチ（他の電源スイッチ）
２２０  モニタ
２３０  インクジェットプリンタ（印刷装置、他の駆動装置）
２３１，２５０ａ，２５１ａ  ＡＣプラグ
２４０  発泡装置（外部装置、駆動装置）
２５０，２５１  ＡＣアダプタ
１０００，１００１  電源システム
【図１】
0006769129.tif 000002
【図２】
0006769129.tif 000003
【図３】
0006769129.tif 000004
【図４】
0006769129.tif 000005
【図５】
0006769129.tif 000006
【図６】
0006769129.tif 000007